(57)【要約】【課題】  誰でも簡単にそして確実に釣針に餌となるゴカイやミミズ等の虫を適切な形で取付けることができる虫付け装置を提供することである。【解決手段】  虫の直径に略等しいトンネルの一端から虫を導入して拘束し、虫を押出し具で他端部開口まで送り釣針に貫通させる。また一端から入れる代わりに、トンネルの側面に設けた開口から虫を導入し、次いで側面の開口を蓋でふさぎ、虫を押出し具で端部開口まで送り釣針に通す。前記いずれの装置においても、トンネルの虫を送り出す側の端部開口に釣針の先端を予め虫端部に対向させる姿勢に保持するにおいて、釣針の先端を保持しておく保持ノズルとその釣針のハリスを保持するハリス保持具を有することを特徴とする虫付け装置。【選択図】        図５
2005065679.tif 000002
【特許請求の範囲】
【請求項１】
虫の直径に略等しいトンネルの一端から虫を導入して拘束し、虫を押出し具で他端部開口まで送り、釣針に貫通させることを特徴とする虫付け装置。
【請求項２】
虫の直径に略等しいトンネルの側面に設けた開口から虫を導入し、次いで側面の開口を蓋でふさぎ、虫を押出し具で端部開口まで送り釣針に通すことを特徴とする虫付け装置。
【請求項３】
請求項１または請求項２において、トンネルの虫を送り出す側の端部開口に釣針の先端を予め虫端部に対向させる姿勢に保持するにおいて、釣針の先端を保持しておく保持ノズルとその釣針のハリスを保持するハリス保持具を有することを特徴とする虫付け装置。
【発明の詳細な説明】
【技術分野】
【０００１】  本発明は、釣針へ餌となるゴカイやミミズ等の虫の取付けを容易に行うことのできる釣用具に関するものである。
【背景技術】
【０００２】  従来の釣針への虫付け具は、細長い針状のパイプで虫をいったんはつらぬき通さなければならなかった。したがって釣針に取付ける以前の段階であばれる虫に細長い針状のパイプをつらぬき通すという困難な作業が必要であった。それゆえ、細く小さいサイズのすぐにちぎれるゴカイ等の虫には使えなかった。そして細長い針状のパイプによって虫がすぐに弱ってしまっていた。また細長い針状のパイプは使い方を誤ればケガの恐れもあった。（例えば、実用新案文献１参照）。【０００３】  さらに、モーターで回るベルトで虫を挟持して送り出し全自動で虫を釣針に取付けるものもあるが、あばれたり伸びたり縮んだりする虫を確実に釣針に適切な形で取付けるには複雑で高度な制御を必要とし、実用性に欠ける。また、虫が針がかりする際には血や体液を多く出すため、器具は水洗い等で常に清潔に保つ必要がある。しかし細かな部品一つ一つやモーターなどの電気部品を手軽に水洗い等はできない。（例えば、実用新案文献２参照）。
【実用新案文献１】
実開平０６−０５７１７４号公報（第１−８頁、第８図）
【実用新案文献２】
実開平０１−０６３３８１号公報（第１−１１頁、第１図）
【発明の開示】
【発明が解決しようとする課題】
【０００４】  解決しようとする問題点は、あばれる虫を容易に釣針へ取付けできる状態に拘束できないことである。そして小さく細いサイズの虫にはまったく対応できなかった。また、釣針に確実かつ適切な形で取付けできず、器具が虫の血や体液で汚れた場合に、容易に水洗いができないという問題があった。【０００５】  本発明の目的は前記欠点に鑑み、虫を簡単に安全に釣針に取付けられる状態に拘束し案内して、確実に適切な形で釣針に取付けられるようにする。そして器具は容易に水洗いできることで常に清潔に保つことができる虫付け装置を提供することである。
【課題を解決するための手段】
【０００６】  上記課題を解決する為に虫の直径に略等しいトンネルの一端から虫を導入して拘束し、虫を押出し具で他端部開口まで送り釣針に貫通させる。【０００７】  また一端から入れる代わりに、トンネルの側面に設けた開口から虫を導入し、次いで側面の開口を蓋でふさぎ、虫を押出し具で端部開口まで送り釣針に通す。【０００８】  上記いずれの装置においても、トンネルの虫を送り出す側の端部開口に釣針の先端を予め虫端部に対向させる姿勢に保持するにおいて、釣針の先端を保持しておく保持ノズルとその釣針のハリスを保持するためのハリス保持具を備えることによって容易に虫を釣針に通すことができる。
【発明の効果】
【０００９】  釣餌となるゴカイやミミズ等の虫はトンネルによって一直線に拘束され案内されるので、針付けされやすくなる。またトンネルの出口に釣針の先端を釣餌に対向させて保持するので、誰でも簡単、確実に虫を適切な形で、釣針へ取付けることができる。また本発明の虫付け装置は水で丸洗いすることにより常に清潔に保つことができる。
【発明を実施するための最良の形態】
【実施例１】
【００１０】  図１は、請求項１に関わる、本発明の第一の実施の形態である端部送り込み式虫付け装置の主体部断面図である。図３はすべての実施例に共通する保持ノズルの説明図である。図１において、１はトンネル、２はラッパ状入り口、３は保持ノズル、４はハリス保持具である。６は虫であり、７は釣針、８はハリス、９は押出し具である。【００１１】  図１において、虫６をラッパ状入り口２より導入する。すると狭い所を好む虫６の習性によってみずからトンネル１内に潜り込む。次に保持ノズル３の孔に釣針７の先端を差し込みハリス８をハリス保持具４に保持することによって釣針７を保持する。そして、押出し具９をラッパ状入り口２から入れて虫６を釣針７へと押出すと図３のように釣針７に虫６が取付けられる。
【実施例２】
【００１２】  図２は、請求項２に関わる、本発明の第二の実施の形態である側面開口導入式虫付け装置の主体部断面図である。図２において、１はトンネル、５は開口でありトンネル１への入り口である。１０は蓋、３は保持ノズル、４はハリス保持具である。６は虫、７は釣針、８はハリス、９は押出し具である。【００１３】  図２において、虫６をトンネル１の側面の開口５から導入する。開口５は虫６と同じ位に細長いので虫６全体を一時にトンネル１内に入れ込むことができる。したがって時間のロスがなく迅速に行うことができる。次に蓋１０を閉める。蓋１０を閉じた状態では、蓋１０の底面がトンネル１の内面を構成することが望ましい。又、開口５を塞ぐ方法としては、扉や栓でもおこなうことができ、扉や栓も閉じた状態がトンネル１の内面を構成することが望ましい。そして保持ノズル３の孔に釣針７の先端を差し込みハリス８をハリス保持具４に保持することによって釣針７を保持する。後は、押出し具９をトンネル１の端部から入れて虫６を釣針７へと押出すと図３のように釣針７に虫６が取付けられる。【００１４】  図３は請求項３に関わる、すべての実施例に共通する保持ノズルの説明図である。保持ノズル３の先端の孔の大きさはトンネル１の直径の２分の１程度とする。この先端の孔に釣針７の先端を差し込みハリス８を軽く引っ張ってハリス保持具４で保持する。このように釣針７の姿勢と位置の保持がハリス８によってなされることにより、釣針７の種類や形や大きさを選ぶことなく行え、ハリス８をひっぱって保持すればよく、釣針７自体に触る必要もないので安全で不器用な人でも扱える。また釣針７先端部の湾曲内面と保持ノズル３が小さな接触圧で位置と姿勢が保持される。そして釣針７の先端はトンネル１の内壁から離れるのでトンネル１奥より対向して出てくる虫６の端部に必ず突き刺さることになり、確実に虫６を釣針７へ取付けることができる。そして虫６が押出し具９によって押出され釣針７に刺さり、更に押出されて保持ノズル３の内部に充満すると、虫６の圧力によって釣針７先端が保持ノズル３から浮き上がって虫６の体が通過する間隙ができる。そこを虫６は通り、釣針７に沿って出ていく。このようにして虫６は釣針７に取付けられる。【００１５】  ここで虫６の取付けを円滑に行うには、保持ノズル３の孔の大きさが重要である。保持ノズル３の孔の径が大きすぎると、虫６は釣針７にかからずに出ていってしまうことがあり、逆に保持ノズル３の孔の径が小さすぎると虫６が出て行くのに押出し圧が高くなり、その圧力で虫６の体が潰れてしまう。さらに、ハリス保持具４から釣針７先端の間のハリス８と釣針７の弾性引張り抵抗力と押出される虫６の圧力とのバランスが重要である。この調整は虫６や釣針７の条件に合わせてハリス８の緊張度合を選ぶことによって達成できる。
【実施例３】
【００１６】  図４は本発明の第三の実施の形態を示す斜視図である。図において、１はトンネル、１２は虫乗せ台、５は開口でありトンネル１への入り口である。１０は蓋、３は保持ノズル、４はハリス保持具である。６は虫、７は釣針、８はハリス、９は押出し具、１４は押出し具挿入口である。【００１７】  図４において、蓋１０はトンネル１への入り口である開口５の蓋である。そして開口５は虫乗せ台１２の窪みの底に設けられている。虫６はまず虫乗せ台１２に置かれ指で押し込むようにして開口５に入れ込まれる。すると狭い所を好む虫６の習性によってみずからトンネル１へと潜り込んでいく。そして蓋１０を閉める。次に保持ノズル３の先端の孔に釣針７の先端を差し込みハリス８をハリス保持具４に保持することによって釣針７を保持する。そして、押出し具９を押出し具挿入口１４から入れて虫６を釣針７へと押出すと図３のように釣針７に虫６が取付けられる。
【実施例４】
【００１８】  図５は、本発明の第四の実施の形態を示す斜視図である。図６は本発明の第四の実施の形態の実施例主体部断面図であり、図７は本発明の第四の実施の形態の回転蓋側面図である。図５，６及び７において、１はトンネル、１１は回転蓋でありトンネル１への入り口である開口５の蓋である。そして開口５は虫乗せ台１２の窪みの底に設けられている。トンネル１は虫乗せ台１２の部分から押込み側端部までの間の直径を大きくして、回転蓋１１を挿脱可能な構造としてある。１３はノブ、３は保持ノズル、４はハリス保持具である。６は虫、７は釣針、８はハリス、９は押出し具、１４は押出し具挿入口である。【００１９】  図５において、虫６はまず虫乗せ台１２に置かれ指で押し込むようにして開口５に入れ込まれる。すると狭い所を好む虫６の習性によってみずからトンネル１へと潜り込んでいく。そして回転蓋１１のノブ１３を回して閉める。実施例３の蓋１０で開口５を塞ぐ方式よりも迅速容易に塞ぐことができ、蓋が装置内に組み込まれているので紛失の心配がない。そして図７のように回転蓋１１は抜き出し可能である。そうすることで水洗いができ常に清潔に保つことができる。次に保持ノズル３の先端の孔に釣針７の先端を差し込み、前記実施例３と同様に操作すると図６の本発明の第四の実施の形態の実施例主体部断面図のように釣針７に虫６が取付けられる。【００２０】  図８と図９は、図６のＡ−Ａ断面図である。図において、５は開口、６は虫、１１は回転蓋、１２は虫乗せ台である。回転蓋１１の内径はトンネル１の内径と同じである。【００２１】  図８と図９において、トンネル１の大径部分と回転蓋１１は、わずかの遊隙をもってはめ込まれている。図８は虫６が虫乗せ台１２に乗せられ回転蓋１１内へと入れ込まれている状況を示している。そして、回転蓋１１を１８０°回転させて虫６をトンネル１内に閉じ込めている状況を示すのが図９である。このように回転蓋１１によって一瞬にして虫６をトンネル１内に閉じ込めてしまうことができるのがこの本発明の第四の実施の形態の虫付け装置の最大の特徴である。そして前記実施例３と同様に操作すると図６の本発明の第四の実施の形態の実施例主体部断面図のように釣針７に虫６が取付けられる。【００２２】  本発明の第四の実施の形態の虫付け装置においては、虫６を押出し具９によって押出すのは、図７の回転蓋１１が図９のように虫６を閉じ込めた後に行われるが、この時回転蓋１１の断面の厚みは薄ければ薄いほどよく、回転蓋１１の開口５とトンネル１の大径部分との段差が小さいほど虫６を傷めずにスムーズに押出すことができる。したがって、回転蓋１１の開口５とトンネル１の大径部分との段差がない構造とするのが最も望ましい。【００２３】  すべての実施例において、ハリス保持具４はハリスを弱い引張り力で保持できればよく、ワンタッチで操作できるクリップや留め金、洗濯バサミなどで保持することができる。【００２４】  すべての実施例において、押出し具９はその先がトンネル１の内径に略等しく、トンネル１との間でほとんど間隙なく虫６を押出す必要がある。間隙があれば虫６に圧力をかけたとき均等に圧力がかからずに虫６の体を壊すことになる。また圧力のかけ方も重要で��り、押出しを圧縮空気や水でおこなったり、機械化、自動化するには高度な制御が必要となる。【００２５】  すべての実施例において、虫付け装置の全体又は一部分を透明な材料で作れば、中の虫６の状態が見えていっそう便利であり、水洗いの時には汚れの落ち具合もよくわかる。
更に、本虫付け装置は手に手袋をはめた状態でも扱うことができる。【００２６】  そして、実施例３と実施例４においては、虫乗せ台１２の窪みの広さや深さや形を変えることで、虫６を直接手で触れることなく、ピンセット等でも虫６を開口５に入れ込むことができる。【００２７】  さらには、すべての実施例において、虫６を導入し案内するための導入路や導入装置を開口５の上、もしくはラッパ状入り口２に設ければ、虫６を乗せるだけで虫６はみずからトンネル１へ潜り込むので、虫６を触るのが苦手な人、不器用な人、釣の初心者、視力の弱い人、更に子供達でも楽しく安全に使用することができる。釣好きな人でも、船上での揺れる環境のもとでは非常に便利である。
【図面の簡単な説明】
【００２８】
【図１】本発明の第一の実施の形態を示す主体部断面図である。
【図２】本発明の第二の実施の形態を示す主体部断面図である。
【図３】本発明の保持ノズルの実施の形態を示す主体部断面図である。
【図４】本発明の第三の実施の形態を示す斜視図である。
【図５】本発明の第四の実施の形態を示す斜視図である。
【図６】本発明の第四の実施の形態の実施例主体部断面図である。
【図７】本発明の第四の実施の形態の回転蓋の側面図である。
【図８】本発明の第四の実施の形態のＡ−Ａ断面図である。
【図９】本発明の第四の実施の形態のＡ−Ａ断面図である。
【符号の説明】
【００２９】  １  トンネル、２  ラッパ状入り口、３  保持ノズル、４  ハリス保持具、
５  開口、６  虫、７  釣針、８  ハリス、９  押出し具、１０  蓋、
１１  回転蓋、１２  虫乗せ台、１３  ノブ、１４  押出し具挿入口
【図１】
2005065679.tif 000003
【図２】
2005065679.tif 000004
【図３】
2005065679.tif 000005
【図４】
2005065679.tif 000006
【図５】
2005065679.tif 000007
【図６】
2005065679.tif 000008
【図７】
2005065679.tif 000009
【図８】
2005065679.tif 000010
【図９】
2005065679.tif 000011